(57)【要約】【課題】部品数を多くすることなく、バッテリを保持部材に容易に固定することができるバッテリ及びバッッテリの固定構造の提供。【解決手段】バッテリ６ａ、及びバッテリ６ｂの本体を構成する筐体６ａ１，６ａ２の一部に、筐体６ａ１，６ａ２の固定用の雌ねじ部であるブラケット８を設けるとともに、ブラケット８を埋込んで一体に形成する埋込み領域ｅと、平滑なベース面８ａを有するブラケット８に螺合し、バッテリ６ａ、及びバッテリ６ｂを保持する旋回フレーム２ａと、この旋回フレーム２ａとバッテリ６ａ、及びバッテリ６ｂを締結するボルト７を備えた構成にした。【選択図】図６
2008273233.tif 000002
【特許請求の範囲】
【請求項１】
本体を構成する筐体の一部に、前記筐体の固定用の雄ねじ部、及び雌ねじ部の少なくとも一方を設けたことを特徴とするバッテリ。
【請求項２】
請求項１に記載の発明において、
前記筐体に前記雄ねじ部、及び雌ねじ部のうちの該当するものを埋込んで一体に形成する埋込み領域を設けたことを特徴とするバッテリ。
【請求項３】
請求項１に記載の発明において、
前記雄ねじ部、及び雌ねじ部のうちの該当するものを前記筐体の底部に設けたことを特徴とするバッテリ。
【請求項４】
請求項１〜３のいずれか１項に記載のバッテリを保持する保持部材と、前記バッテリに設けられた前記雄ねじ部、又は前記雌ねじ部に螺合し、前記保持部材と前記バッテリを締結する締結部材とを備えたことを特徴とするバッテリの固定構造。
【請求項５】
請求項４に記載の発明において、
前記雄ねじ部、及び前記雌ねじ部のうちの該当するものが、前記保持部材と当接する平滑なベース面を有することを特徴とするバッテリの固定構造。
【発明の詳細な説明】
【技術分野】
【０００１】
本発明は、建設機械等に設けられるバッテリ及びバッテリの固定構造に関する。
【背景技術】
【０００２】
この種のバッテリ及びバッテリの固定構造としては、例えば、特許文献１に示す従来技術がある。この従来技術では、図１２に示すように、建設機械である油圧ショベルに設けられるバッテリ１１が、バッテリ台、すなわち保持部材である旋回フレーム１２の上面に載置されている。バッテリ１１と旋回フレーム１２とは、フッドロッド１３、ナット部材１４により上下方向が狭持されている。また、バッテリ１１には、旋回フレーム１２に対してバッテリ１１が上下方向及び水平方向に移動するのを拘束するために、断面がＬ字型の押圧部材１５と、バッテリ１１の側面と旋回フレーム１２とを固定する凸部、すなわち固定部材１６とが備えられている。
【特許文献１】特開２００１−３２９５６７公報
【発明の開示】
【発明が解決しようとする課題】
【０００３】
しかし、前述した特許文献１の従来の技術では、バッテリ１１と旋回フレーム１２とを固定するために、フッドロッド１３、ナット部材１４、押圧部材１５等の多くの部品が必要となるので、組立に時間を要するとともに、部品の生産や保持部材の加工に伴い、コストが高くなるという問題があった。
【０００４】
本発明は、このような従来技術の課題を考慮してなされたもので、その目的は、部品数を多くすることなく、バッテリを保持部材に容易に固定することができるバッテリ及びバッッテリの固定構造を提供することにある。
【課題を解決するための手段】
【０００５】
この目的を達成するために、本発明のバッテリは、本体を構成する筐体の一部に、前記筐体の固定用の雄ねじ部、及び雌ねじ部の少なくとも一方を設けたことを特徴としている。
【０００６】
このように構成した本発明は、バッテリの本体を構成する筐体の一部に、固定用の雄ねじ部、及び雌ねじ部の少なくとも一方を設けたことから、雄ねじ部、及び雌ねじ部のうちの該当するものに雌ねじまたは雄ねじを有する締結部材を螺合させることにより、部品数を多くすることなく、バッテリを車体のフレーム等の保持部材に容易に固定することができる。
【０００７】
また、本発明は、前記発明において、前記筐体に前記雄ねじ部、及び雌ねじ部のうちの該当するものを埋込んで一体に形成する埋込み領域を設けたことを特徴としている。このように構成した本発明は、バッテリの本体を構成する筐体に埋込み領域を設けたことから、雄ねじ部、及び雌ねじ部のうちの該当するものを埋込んで一体に形成し、これらの雄ねじ部、及び雌ねじ部のうちの該当するものを筐体に強固に保持させることができる。
【０００８】
さらに、本発明は、前記発明において、前記雄ねじ部、及び雌ねじ部のうちの該当するものを前記筐体の底部に設けたことを特徴としている。このように構成した本発明は、前記雄ねじ部、及び雌ねじ部のうちの該当するものを前記筐体の底部に設けたことから、バッテリ自体の自重を利用して、バッテリを車体フレーム等の保持部材により安定させて固定することができる。
【０００９】
また、本発明は、前記発明において、前記雄ねじ部がボルトから成ることを特徴としている。
【００１０】
さらに、本発明は、前記発明において、前記雌ねじ部がナット、又は内周にねじ部を有するブラケットから成ることを特徴としている。
【００１１】
また、本発明のバッテリ固定構造は、前記バッテリを保持する保持部材と、前記バッテリに設けられた前記雄ねじ部、又は前記雌ねじ部に螺合し、前記保持部材と前記バッテリを締結する締結部材とを備えたことを特徴としている。このように構成した本発明は、バッテリに設けられた雄ねじ部、又は雌ねじ部に車体フレーム等の保持部材を介して締結部材を螺合させることにより、部品数を多くすることなくバッテリを車体フレーム等の保持部材に保持させることができる。
【００１２】
さらに、本発明は、前記発明において、前記雄ねじ部、及び前記雌ねじ部のうちの該当するものが、前記保持部材と当接する平滑なベース面を有することを特徴としている。このように構成した本発明は、前記雄ねじ部、及び前記雌ねじ部のうちの該当するものが、保持部材と当接する平滑なベース面を有するので、締結部材により締結した際に、安定した締付け強度を得ることができる。
【００１３】
また、前記保持部材は、建設機械に備えられる旋回フレームから成ること特徴としている。
【発明の効果】
【００１４】
本発明に係るバッテリ及びバッテリの固定構造は、バッテリの本体を構成する筐体の一部に、固定用の雄ねじ部、及び雌ねじ部の少なくとも一方を設けたことから、部品数を多くすることなく、バッテリを車体フレーム等の保持部材に容易に固定することができ、これによって、従来よりも組立時間を短縮することがきるとともに、部品の生産や保持部材の加工に伴うコストを安価にすることができる。
【発明を実施するための最良の形態】
【００１５】
以下、本発明に係るバッテリ及びバッテリの固定構造を実施するための最良の形態を図に基づいて説明する。
【００１６】
［本発明に係るバッテリ及びバッテリの固定構造の第１実施形態］
図１〜９は、本発明に係るバッテリ及びバッテリ固定構造の説明図で、図１は、第１実施形態が備えられる建設機械の一例として挙げた油圧ショベルの側面図、図２は、図１の旋回フレームにバッテリが固定された状態を示す斜視図、図３は、図２の要部拡大図、図４は、図３の正面図、図５は、図４のＡ方向から見た拡大図、図６は、図５のＢ方向から見た要部拡大断面図、図７は、図４のバッテリの要部拡大図、図８は、図７のＣ方向から見た拡大図、図９は、図８のＤ方向から見た要部拡大断面図である。
【００１７】
本発明に係るバッテリ及びバッテリ固定構造の第１実施形態が備えられる建設機械、例えば油圧ショベルには、図１に示すように、走行体１と、この走行体１上に配置される運転室３、図示しないエンジンや図示しない油圧駆動装置を収容した機械室４、及びカウンタウェイト５とを有する旋回体２と、前述の油圧駆動などに給電するバッテリ６とが備えられている。
【００１８】
［バッテリ６の構成]
図２〜図４に示すように、バッテリ６は、旋回体２に設けられる旋回フレーム２ａ上に載置され、例えば、第１バッテリ６ａと第２バッテリ６ｂにより構成されている。特に、バッテリ６ａとバッテリ６ｂの例えば、底部には、主に図６〜図９に示すように、雌ねじ部、例えば、内周にねじ部８ｂを有するブラケット８がそれぞれ４箇所に設けられている。
【００１９】
また、バッテリ６ａとバッテリ６ｂの本体を構成する筐体６ａ１，６ａ２のそれぞれには、前述のブラケット８を埋込んで一体に形成するために底上げした埋込み領域ｅが設けられている。なお、バッテリ６ａとバッテリ６ｂのそれぞれの筐体６ａ１，６ａ２は、合成樹脂から成り、例えば、金型の所定の位置、つまり、筐体６ａ１，６ａ２の埋込み領域ｅを形成する部分に、ねじ部８ｂを有する鋼材から成るブラケット８を配置した状態で、溶かした樹脂を流し込んで、ブラケット８を一体に形成してある。
【００２０】
［バッテリ６の固定構造］
また、バッテリ６の固定構造は、前述したバッテリ６を保持する保持部材、例えば、旋回フレーム２ａと、バッテリ６に設けられたブラケット８に螺合し、ブラケット８とバッテリ６とを締結する締結部材、例えば、図５、図６に示すボルト７を備えている。
【００２１】
ボルト７は、図５に示すように、旋回フレーム２ａに設けられたブラケット８に適合する複数の穴２ｂを貫通し、図６に示すように、バッテリ６ａとバッテリ６ｂのそれぞれに設けられたブラケット８の図９に示す穴部８ｄに形成したねじ部８ｂに、旋回フレーム２ａを介して螺合するようになっている。
【００２２】
また、ブラケット８は、図６に示すように、旋回フレーム２ａと当接する平滑なベース面８ａを有している。これにより、バッテリ６ａとバッテリ６ｂを、旋回フレーム２ａにボルト７で締結した際に、安定した締め付け強度が得られるようになっている。
【００２３】
さらに、ブラケット８の形状は、図８に示すように、ボルト７を締め付けた時に、ブラケット８が共回りすることを防止するために多角形、例えば四角形としている。また、図６、図８、図９に示すように、ブラケット８は、バッテリ６ａ、及びバッテリ６ｂから外れないように段付部８ｃを有している。
【００２４】
［バッテリ６の固定作業]
次に、バッテリ６を保持部材である旋回フレーム２ａに固定する作業について説明する。例えば、まず、機械室４の図示しないドアを開け、バッテリ６ａとバッテリ６ｂを図２〜図４に示すように、旋回フレーム２ａの上面に載置する。この時、図９に示すバッテリ６ａのブラケット８の穴部８ｄ、及びバッテリ６ｂのブラケット８の穴部８ｄを、図７に示す旋回フレーム２ａの所定の位置に形成された複数の穴部２ｂに適合するように、バッテリ６ａとバッテリ６ｂを配置する。この状態で、図５に示すように、旋回フレーム２ａの裏面から複数のボルト７を前述の複数の穴部２ｂへ挿入する。次に、図６に示すように、それぞれのボルト７を回し、バッテリ６ａ、及びバッテリ６ｂのブラケット８の穴部８ｄに形成されたねじ部８ｂに螺合させて締結する。これにより、ブラケット８とボルト７だけの少ない部品数で、バッテリ６を旋回フレーム２ａに容易に固定することができる
このように構成した第１実施形態では、バッテリ６ａ、及びバッテリ６ｂの底部の埋込み領域ｅに、内周にねじ部８ｂを有するブラケット８を埋込んで一体に形成したことから、
締結部材であるボルト７を、旋回フレーム２ａを介してバッテリ６ａ、及びバッテリ６ｂの埋込み領域ｅに設けたブラケット８のねじ部８ｂに螺合させることにより、部品数を多くすることなく、バッテリ６ａ、及びバッテリ６ｂを旋回フレーム２ａに容易に固定することができ、これによって、組立時間を短縮することがきるとともに、部品の生産や旋回フレーム２ａの加工に伴うコストを安価にすることができる。
【００２５】
なお、第１実施形態では、バッテリ６ａ、及びバッテリ６ｂの底部の埋込み領域ｅに、ねじ部８ｂを有するブラケット８を埋込んだが、雌ねじ部としてナットを埋込んでも同様の作用効果を得ることができる。
【００２６】
さらに、第１実施形態では、建設機械である油圧ショベルを例に挙げたが、例えば、エンジンを搭載している自動車等のバッテリにも適用可能である。
【００２７】
また、第１実施形態では、前述の埋込み領域ｅをバッテリ６ａ、及びバッテリ６ｂの底部に形成したが、バッテリ６ａ、及びバッテリ６ｂの側面に形成し、この埋込み領域ｅに雌ねじ部であるブラケット８、及び図示しないナットを埋込むようにしても、バッテリ６を旋回フレーム２ａに固定することができ、同様の作用効果を得ることができる。
【００２８】
［本発明に係るバッテリ６及びバッテリ６の固定構造の第２実施形態］
図１０は、第２実施形態を示す図であり、図６に相応する図である。
【００２９】
この第２実施形態においても、第１実施形態と同様に、バッテリ６ａとバッテリ６ｂに埋込み領域ｅを形成している。特に第２実施形態では、バッテリ６ａとバッテリ６ｂの埋込み領域ｅに雄ねじ部であるボルト７Ａの頭部を埋込んで一体に形成してある。また、締結部材としては、ボルト７Ａに旋回フレーム２ａを介して螺合するナット９を備えている。また、ボルト７Ａの頭部は、旋回フレーム２ａと当接する平滑なベース面７Ａ１を有している。このように構成したことから、第１実施形態と同様の作用効果を得ることができる。
【００３０】
［本発明本発明に係るバッテリ６及びバッテリ６の固定構造の第３実施形態］
図１１は、第３実施形態を示す図であり、図８に相応する図である。
【００３１】
この第３実施形態においても、第１、２実施形態と同様に、バッテリ６ａとバッテリ６ｂに埋込み領域ｅを形成している。特に第３実施形態では、図１１に示すように、バッテリ６ａとバッテリ６ｂの埋込み領域ｅに、雌ねじ部である長方形のブラケット１０を２箇所に埋込んで一体に形成してある。このように構成しても、第１、第２実施形態と同様の作用効果を得ることができる。
【００３２】
なお、第１〜第３実施形態のバッテリ６は、バッテリ６ａ、及びバッテリ６ｂの２つを保持部材である旋回フレーム２ａに載置した例であるが、バッテリ６が１つ、又は３つ以上の場合においても同様にして保持部材に固定することができる。
【図面の簡単な説明】
【００３３】
【図１】本発明に係るバッテリ及びバッテリ固定構造の第１実施形態が備えられる建設機械の一例として挙げた油圧ショベルの側面図である。
【図２】図１の旋回フレームにバッテリが固定された状態を示す斜視図である。
【図３】図２の要部拡大図である。
【図４】図３の正面図である。
【図５】図４のＡ方向から見た拡大図である。
【図６】図５のＢ方向から見た要部拡大断面図である。
【図７】図４のバッテリの要部拡大図である。
【図８】図７のＣ方向から見た拡大図である。
【図９】図８のＤ方向から見た要部拡大断面図である。
【図１０】第２実施形態を示す図であり、図６に相応する図である。
【図１１】第３実施形態を示す図であり、図８に相応する図である。
【図１２】従来技術を示す図である。
【符号の説明】
【００３４】
２ａ    旋回フレーム（保持部材）
６      バッテリ
６ａ    第１バッテリ
６ｂ    第２バッテリ
７      ボルト（締結部材）
７ａ    ベース面
７Ａ    ボルト（雄ねじ部）
８      ブラケット（雌ねじ部）
８ａ    ベース面
８ｂ    ねじ部
９      ナット（締結部材）
１０    ブラケット（雌ねじ部）
ｅ      埋込み領域
【図１】
2008273233.tif 000003
【図２】
2008273233.tif 000004
【図３】
2008273233.tif 000005
【図４】
2008273233.tif 000006
【図５】
2008273233.tif 000007
【図６】
2008273233.tif 000008
【図７】
2008273233.tif 000009
【図８】
2008273233.tif 000010
【図９】
2008273233.tif 000011
【図１０】
2008273233.tif 000012
【図１１】
2008273233.tif 000013
【図１２】
2008273233.tif 000014